(57)【要約】      （修正有）【課題】グローバルな医用画像管理サーバを提供する。【解決手段】医用画像管理サーバは、参照レベルが設定された医用情報を保存する医用情報保存手段と、患者、主治医、及び診断医のアカウントを保存しそのアカウントレベルを制御するアカウント制御手段と、前記アカウントに対して、参照レベル及びアカウントレベルを比較して前記医用情報の公開レベルを判断する公開レベル判断手段と、前記医用情報をアップロードする医用情報アップロード手段と、前記公開レベルに応じて開示情報が制限された医用情報を参照可能にする医用情報参照手段と、前記開示情報が制限された医用情報用いて診断された簡易診断レポートを前記医用情報保存手段にアップロードする簡易診断レポートアップロード手段と、前記簡易診断レポートを参照可能にする簡易診断レポート参照手段と、セカンドオピニオンを依頼する診察医に主治医の紹介状を送信する紹介状制御手段と、を有する。【選択図】図２
2014044495.tif 000002
【特許請求の範囲】
【請求項１】
参照レベルが設定された医用情報を医用パブリッククラウド上に保存する医用情報保存手段と、
前記医用情報保存手段にアクセスする患者、主治医、及び診断医のアカウントを保存しそのアカウントレベルを制御するアカウント制御手段と、
前記アカウントに対して、参照レベル及びアカウントレベルを比較して前記医用情報の公開レベルを判断する公開レベル判断手段と、
前記医用情報を前記医用情報保存手段にアップロードする医用情報アップロード手段と、
前記診断医に、前記公開レベルに応じて開示情報が制限された医用情報を参照可能にする医用情報参照手段と、 
前記開示情報が制限された医用情報用いて診断された簡易診断レポートを前記医用情報保存手段にアップロードする簡易診断レポートアップロード手段と、
前記患者または主治医に、前記簡易診断レポートを参照可能にする簡易診断レポート参照手段と、
複数の前記簡易診断レポートを参照し、セカンドオピニオンを依頼する診察医を選定する診断医選定手段と、
前記選定した診断医に主治医の紹介状を送信する紹介状制御手段と、
を有する医用画像管理サーバ。
【請求項２】
前記アカウント制御手段は、セカンドオピニオンを依頼された診察医が正式な診断レポートの作成を受諾した場合に、診断医のアカウントレベルを変更し、前記診察医に公開レベルが緩和された医用情報を開示する請求項１記載の医用画像管理サーバ。
【請求項３】
前記公開レベルが緩和された医用情報用いて診断された正式診断レポートを前記医用情報保存手段にアップロードする簡易診断レポートアップロード手段と、
前記患者または主治医に、前記正式診断レポートを参照可能にする正式診断レポート参照手段と、
をさらに有する請求項２記載の医用画像管理サーバ。
【請求項４】
前記診断医のセカンドオピニオンの受諾実績を含む履歴情報を保存する履歴情報保存手段と、
前記履歴情報を参照可能にする履歴情報参照手段をさらに有する請求項３記載の医用画像管理サーバ。
【発明の詳細な説明】
【技術分野】
【０００１】
本発明の実施形態は、ネットワーク上で行なう医用画像管理サーバに関する。
【背景技術】
【０００２】
近年、医療画像診断において、地域医療格差、診断医師不足、診断ツールの多様化により、病院間でネットワークを組み、患者を複数の病院で連携して診断するようになってきている。
【０００３】
しかし、この取り組みは、ある特定の関連病院間が接続されるプライベートネットワーク内での診断であったり、特定の地域に根差した遠隔診断であることが一般的である。この遠隔診断においては、患者のデータを複数の医師に提示し診断結果を得るものがある。（例えば特許文献１参照）。
【０００４】
また、画像診断装置の高機能化や診断ツールの複雑化により、診断医師の技術レベル格差が顕著になり、患者からは他の診断医師のセカンドオピニオンを取得したいという要望も多くなってきている。患者の要望や診断リソース不足の点から関連病院以外の機関などのグローバルな診断リソースを有効活用し診断するようになってきた。海外における画像診断サービスなどはこの典型的な例である。
【０００５】
また、一方で世界の高度医療を受けたいという患者が増加しており、このような患者に対して、有効な紹介システムが存在しないという問題がある。
【先行技術文献】
【特許文献】
【０００６】
【特許文献１】特開２００６−２７７５５９号公報
【発明の概要】
【発明が解決しようとする課題】
【０００７】
本発明が解決しようとする課題は、上記問題を解決し、グローバルな医用画像管理サーバを提供することである。
【課題を解決するための手段】
【０００８】
上記課題を達成するために、実施形態の医用画像管理サーバは、参照レベルが設定された医用情報を医用パブリッククラウド上に保存する医用情報保存手段と、前記医用情報保存手段にアクセスする患者、主治医、及び診断医のアカウントを保存しそのアカウントレベルを制御するアカウント制御手段と、前記アカウントに対して、参照レベル及びアカウントレベルを比較して前記医用情報の公開レベルを判断する公開レベル判断手段と、前記医用情報を前記医用情報保存手段にアップロードする医用情報アップロード手段と、前記診断医に、前記公開レベルに応じて開示情報が制限された医用情報を参照可能にする医用情報参照手段と、前記開示情報が制限された医用情報用いて診断された簡易診断レポートを前記医用情報保存手段にアップロードする簡易診断レポートアップロード手段と、前記患者または主治医に、前記簡易診断レポートを参照可能にする簡易診断レポート参照手段と、複数の前記簡易診断レポートを参照し、セカンドオピニオンを依頼する診察医を選定する診断医選定手段と、前記選定した診断医に主治医の紹介状を送信する紹介状制御手段と、を有する
【図面の簡単な説明】
【０００９】
【図１】実施形態における医用画像管理サーバのネットワーク構成図。
【図２】実施形態の医用画像管理サーバにおけるアクセス制御部のブロック構成図。
【図３】実施形態の医用画像管理サーバにおけるユーザアカウント登録画面の例。
【図４】同実施形態の医用画像診断サーバにおける個人情報に対する参照レベルの例。
【図５】同実施形態の医用画像診断サーバにおける医用画像に対する参照レベルの例。
【図６】実施形態の医用画像診断サーバにおけるセカンドオピニオン取得までのワークフローの例。
【図７】実施形態の医用画像診断サーバにおける診断医側ユーザインタフェース画面例。
【図８】実施形態の医用画像診断サーバにおける患者、主治医側ユーザインタフェース画面例。
【発明を実施するための形態】
【００１０】
以下、発明を実施するための実施形態について図１から図８に示す図面を参照しながら詳細に説明する。
【００１１】
図１に示すように、本実施形態の医用画像管理サーバ１は、ＷＡＮ（Wide Area Network）などのネットワークで構成されるパブリッククラウド２に接続される。このパブリッククラウド２には、病院内プライベートネットワーク３、複数の病院間を連携する連携病院プライベートネットワーク４、読影などを請け負う画像診断サービス会社５、及び個人病院６などが接続される。また、このパブリッククラウド２に患者自宅などに設置された患者端末７が接続されてもよい。この構成により医用画像管理サーバ１には、世界のどこからでも接続することが可能であり、患者がセカンドオピニオンなどの診断レポートを取得するための医用パブリッククラウドサービスを提供する。また、パブリッククラウド２に接続する診断医は、患者の医用情報を参照してセカンドオピニオンを患者に提供する。
【００１２】
この医用パブリッククラウドサービスを提供するために、パブリッククラウド２に接続される医用画像管理サーバ１は、アクセス制御部１１、アカウント情報保存部１２、医用情報保存部１３、履歴情報保存部１４を有している。
【００１３】
アクセス制御部１１は、医用パブリッククラウドサービスに登録される患者、主治医、および患者の医用情報から画像診断を行う診断医のアカウントのアカウントレベルによるアクセス制御を行う。このアカウントレベルにてパブリッククラウド２で公開される医用情報の公開レベル制御を行うことができる。
【００１４】
アカウント情報保存部１２は、医用パブリッククラウドサービスに登録される患者、主治医、及び診断医のアカウント情報を保持する。アカウント情報の詳細については後述する。
【００１５】
医用情報保存部１３は、医用パブリッククラウドサービスに接続された患者、もしくは主治医からアップロードされた医用画像や、診断医が作成した診断レポートなどの医用情報を保存する。ここで医用情報は、医用画像、カルテなどを含む診断レポート、および個人情報など医用に使用するデータ情報を総称する。
【００１６】
履歴情報保存部１４は、医用パブリッククラウドサービスに参加する診断医に対して、診断レポートの受諾回数や、参加期間、ユーザからの評価などの履歴情報を保存する。これにより、患者は実際に作成された簡易診断レポートに加え、診断医に対する評価を加味してセカンドオピニオンを依頼する診断医の選定が行える。
【００１７】
図２は、点線枠で示すアクセス制御部１１の詳細を表したブロック構成図である。点線矢印で示すアカウントなどの制御情報と実線矢印で示す医用情報の流れを示すために、パブリッククラウド２、アカウント情報保存部１２、医用情報保存部１３及び履歴情報保存部１４などを併記し、医用画像管理サーバ１全体の構成を示している。
【００１８】
また医用情報保存部１３内には、医用画像保存部１３１、診断レポート保存部１３２、及び個人情報保存部１３３を有し、医用情報を分類して保存する。これらは、同一記憶装置内のフォルダで分類されていても良いし、またそれぞれが別の場所にあり、パブリッククラウド２に接続されていても良い。
【００１９】
アクセス制御部１１は、登録部１１１、医用情報参照部１１２、医用情報アップロード部１１３、紹介状制御部１１４、履歴参照部１１５、および公開レベル判断部１１６を有している。また、公開レベル判断部１１６は、アカウントレベル制御部１１６ａ及び医用情報参照レベル制御部１１６ｂを有している。
【００２０】
登録部１１１は、医用パブリッククラウドサービスに登録される患者、その患者の主治医、および患者の医用情報を用いて画像診断を行う診断医の登録を行う。図３は、パブリッククラウド２接続される端末装置でのユーザアカウント登録画面３１の例を示している。登録画面３１には、患者登録ボタン３２、主治医登録ボタン３３、及び診断医登録ボタン３４があり、ユーザの種別によって適宜選択する。その他ここでは図示しないが医療組織全体で登録することができる。
【００２１】
患者登録では、医用クラウドサービスを受けようとする患者は、患者ＩＤ、施設ＩＤ、主治医ＩＤ、病名ＩＤ、及び部位ＩＤなどを入力する。患者ＩＤは、掛かり付けの病院施設で使用される、例えば診察券に記載されたＩＤ番号などを入力することが好ましい。また、施設ＩＤ、主治医ＩＤ、病名ＩＤ、及び部位ＩＤはあらかじめアカウント情報保存部１２にあるテーブル値からプルダウンメニューにて選択できる。それぞれのＩＤには実際の名称がリンクされているので実際の名称を見て選択する。
【００２２】
患者ＩＤを、掛かり付けの病院施設の診察券などに記載された病院施設内で患者の特定する識別番号などを使用することでで、ＰＡＣＳ(Picture Archiving and Communication Systems)や電子カルテから半自動的に患者の医用情報を本実施形態の医用画像管理サーバ１へアップロード転送が可能となる。患者ＩＤと施設ＩＤを用いることで患者を一意に識別可能であり、患者登録と同時にさらにセカンドオピニオンを依頼するための依頼ＩＤが発行される。本実施形態では、この依頼ＩＤを主キーとして医療情報のデータベース管理を行うことができる。また登録時に患者に与えられる患者のアカウントレベルは「Ｐａｔ」とする。
【００２３】
主治医登録では、患者の主治医は、主治医ＩＤ、施設ＩＤ及び専門ＩＤなどを入力する。主治医ＩＤは、個人情報の保護の観点で問題がなければ自分の所属する病院施設内での職員番号などの主治医ＩＤを入力する。または医用画像管理サーバ１が発行する主治医ＩＤを用いてもよい。また施設ＩＤ、及び専門ＩＤは、あらかじめアカウント情報保存部１２にあるテーブル値からプルダウンメニューにて選択できる。主治医と患者の関係は、患者登録時にリンクしていため、依頼ＩＤから主治医が一意に識別可能である。ここで登録時に患者の主治医に与えられるアカウントレベルは「Ａｄｍ」とし、一番権限の強いアカウントレベルとなる。
【００２４】
診断医登録では、主治医登録と同様に診断医ＩＤ、施設ＩＤ及び専門ＩＤなどを入力する。診断医ＩＤは個人情報の保護の観点で問題がなければ、自分の所属する病院施設内での職員番号などの主治医ＩＤを入力する。または医用画像管理サーバ１が発行する主治医ＩＤをもちいてもよい。また施設ＩＤ、及び専門ＩＤは、あらかじめアカウント情報保存部１２にあるテーブル値からプルダウンメニューにて選択できる。ここで登録時に診断医に与えられるアカウントレベルは「Ｏｐｅｎ」とする。なお、後述するように、このアカウントレベル「Ｏｐｅｎ」では、患者の個人情報が保護された匿名の医用情報のみが閲覧可能であり、診断医が患者よりセカンドオピニオンの依頼を受けて、正式の診断を受諾した場合には、アカウントレベルは「Ｄｏｃ」と変更され、患者の個人情報をも閲覧できるようになる。
【００２５】
登録部１１１を介して行うアカウント登録のシーケンスをここでは、ユーザ登録シーケンスと称する。登録されたユーザのアカウントは、アカウント情報保存部１２に保存され、アカウント認証や公開レベルの判断の際にアクセスされる。アカウントレベルの権限レベルは「Ａｄｍ」＞「Ｄｏｃ」＞「Ｐａｔ」＞「Ｏｐｅｎ」の順となり、権限が大きくなるほど閲覧できる医用情報も多くなる。
【００２６】
医用情報参照部１１２は、パブリッククラウド２に接続するユーザ種別、アカウントレベル及び医療情報の参照レベルなどによって決定する公開レベルに従って、医用情報保存部１３に保存される医用情報の参照内容を制御する。主として診断医の場合であれば、診断レポート作成のための患者の医用情報の参照制御であり、患者もしくは主治医の場合は、診断医によってなされた診断レポートの参照制御である。この医用情報参照部１１２を介して行うシーケンスをここでは、医用情報参照シーケンスと称する。公開レベルの制御は、後述するように公開レベル判断部１１６によってなされる。
【００２７】
医用情報アップロード部１１３は、ユーザ種別などに応じて医用情報をパブリッククラウド２に接続された医用情報保存部１３にアップロードする。主として診断医の場合であれば、患者の医用情報であり、診断医の場合では、患者の医用情報を閲覧して作成した診断レポートなどである。
【００２８】
主治医は、所属する病院施設のＰＡＣＳ及び電子カルテなどのシステムから患者ＩＤをキーとして医療情報を取得し、これをパブリッククラウド２上の医用情報保存部１３にアップロードする。パブリッククラウドという性質上、個人情報の保護には配慮し匿名化する必要がある。したがって医用情報保存部１３にアップする医用情報に参照レベルが設定される。例えば、図４に示す医用画像などの患者の個人情報に参照レベルを設定する。例えばタグＴ１〜Ｔ３に示す患者ＩＤ、患者名、生年月日などの患者を特定できる参照レベルは「Ｐａｔ」であり、タグＴ４、Ｔ５に示す年齢、性別などの個人を特定できない参照レベルは「Ｏｐｅｎ」である。また、診断医が正式にセカンドオピニオンの依頼を受けた時に参照可能となる参照レベルを「Ｄｏｃ」とする。
【００２９】
また、他の施設の診断医には開示したくないような情報、例えばタグＴ１５の治療計画情報などは、主治医しか参照できないよう参照レベルを「Ａｄｍ」とする。
【００３０】
図５に示すように、医用画像に関しても同様に参照レベルが設定される。例えば、医用画像内の病変部にマーカが記載されているもの、氏名など個人情報が記載されているものなどの参照レベルは、患者に対しては参照を可能とするため参照レベルを「Ｐａｔ」とし、アカウントレベル「Ｏｐｅｎ」のユーザでは参照できないようにする。また、告知が必要な病気等の病変部の異常が患者でも明らかに確認できるものなどの医用画像で、患者が閲覧することが不適当なものには参照レベルを「Ｄｏｃ」などと設定する。このように、参照レベルが設定された医用情報は、医用情報参照レベル制御部１１６ｂを介して医用情報保存部１３に保存される。この医用情報アップロード部１１３を介して行うシーケンスをここでは、医用情報アップロードシーケンスと称する。
【００３１】
紹介状制御部１１４は、個人情報が保護された匿名の医用情報に対して行われた１つ以上の簡易レポートを閲覧し、この中からセカンドオピニオンを依頼すべき診断医を選定する選定動作、主治医のサインを添付した紹介状を診断医に送付する紹介依頼動作、および、正式診断レポート作成を受諾した旨を診断医から受信する受諾動作を行う。この紹介状制御部１１４を介して行うシーケンスを紹介状制御シーケンスと称する。
【００３２】
履歴参照部１１５は、診断医が行ったセカンドオピニオンの受諾実績や患者からの評価などを集計して参照可能とする。この履歴情報は、履歴情報保存部１４に保存される。また、履歴参照部１１５を介して行うシーケンスを履歴参照シーケンスと称する。
【００３３】
公開レベル判断部１１６は、上述したユーザのアカウントレベルと医用情報に付帯した参照レベルとを比較し、医用情報の公開レベルを求める。そして公開レベルに応じた医用情報をパブリッククラウド２上に公開する。
【００３４】
アカウントレベル制御部１１６ａは、診断医がセカンドオピニオンの受諾を行った場合には、アカウントレベルの変更を行う。例えば、「Ｏｐｅｎ」レベルから「Ｄｏｃ」レベルへと変更する。また、医用情報参照レベル制御部１１６ｂは、必要に応じて主治医が医用情報の参照レベルの変更を端末から変更する。この変更は、主治医などに与えられる「Ａｄｍ」権限にて行う。
【００３５】
以上の構成による医用画像管理サーバ１により、患者がパブリッククラウド２に接続する診断医のセカンドオピニオンを取得するまでの流れを図６のフローチャートを用いて説明する。また、医用画像管理サーバ１には、あらかじめ診断医は登録されているものとする。
【００３６】
まずステップＳＴ６０１では、患者は主治医にセカンドオピニオンの相談を行う。そしてステップＳＴ６０２において、患者および主治医は、医用画像管理サーバ１に対してユーザアカウント登録を行う。ユーザ登録は図３で説明した通りである。そしてこのユーザ登録は図２のユーザ登録シーケンスを用いる。
【００３７】
そしてステップＳＴ６０３では、主治医は、患者の医用情報をパブリッククラウド２上で共有するために、医用画像管理サーバ１に患者の医用情報をアップロードする。この時、図４及び図５で示したように、少なくとも個人情報に配慮し患者が特定されないように医用情報の参照レベルを設定した後に患者の医用情報をアップロードする。この医用情報の送信は、図２のアップロードシーケンスが用いられる。
【００３８】
ステップＳＴ６０４では、医用画像管理サーバ１に登録している診断医は、ステップＳＴ６０３でアップロードされた医用情報を閲覧できる。図７は、医用情報などを参照するための診断医側ユーザインタフェース画面７１の例である。診断医は、まず診断医ＩＤを入力し、「ＯＫ」ボタン７２を押下すると診断依頼公開中の医用情報一覧表７３が表示される。この医用情報一覧表７３は、診断医ＩＤにリンクした専門ＩＤを検索キーとして診断医の専門科に依頼中の患者一覧が検索される。診断医は、医用情報一覧表７３から興味のある患者を選択し、「閲覧」ボタン７４を押下することで、患者の医用情報を閲覧できる。この時、診断医のアカウントレベルは、「Ｏｐｅｎ」であるから、医用情報も参照レベルが「Ｏｐｅｎ」であるもののみが閲覧可能である。この医用情報の参照には、図２の医用情報参照シーケンスが用いられる。
【００３９】
診断医は、医用情報を参照して診断レポートを作成する。この時の診断レポートは、個人情報に配慮し閲覧情報が制限された医用情報に基づく診断である。ここでは簡易診断レポートと称する。「ファイル指定」ボタン７５によりこの簡易レポートのファイルを指定し、「診断レポート送信」ボタン７６により簡易レポートを医用画像管理サーバ１に送信する。この簡易レポートの送信は、図２のアップロードシーケンスが用いられる。
【００４０】
ステップＳＴ６０５では、患者もしくは主治医は、ステップＳＴ６０４で医用画像管理サーバ１にアップロードされた簡易診断レポートを確認する。図８は、診断レポートなどの閲覧などに利用する患者・主治医側ユーザインタフェース画面８１の例である。ここでは、依頼ＩＤを入力するが、さらには、患者または主治医のどちらが閲覧しているかを区別するために患者ＩＤ、主治医ＩＤを入力してもよい。依頼ＩＤを入力して「ＯＫ」ボタン８２を押下すると、診断レポート一覧８３が表示される。患者または主治医は、診断医を指定して、「閲覧」ボタン８４を押下することで簡易診断レポートが閲覧できる。
【００４１】
ステップＳＴ６０６では、簡易レポートの内容、評価欄などの評価を参考にしてセカンドオピニオンを依頼する診断医を選定する。セカンドオピニオンの依頼には、診断医による紹介状が必要なため、「紹介状作成」ボタン８５を押下することで紹介状の作成画面が表示される。また、紹介状には電子サインを添付するため、「サイン添付」ボタン８６を押下することにより、あらかじめ診断医ＩＤにリンクして登録された診断医の電子サインが紹介状に添付される。そして「送付」ボタン８７を押下することで、選定された診断医に電子サイン付の紹介状が送られる。この選定された診断医への紹介状送付は、図２の紹介状制御シーケンスにて行われる。また、診断レポート一覧８３に表示される評価は、履歴参照シーケンスにより行われる。
【００４２】
ステップＳＴ６０７では、選定された診断医に紹介状が送られ、診断医はセカンドオピニオンを受諾する。診断医は、図７の診断依頼公開中の医用情報一覧７３の中から、紹介状が受信されている患者ＩＤを見つけることができる。あるいは、紹介状ステータスの「ステータス」プルダウンボックス７７を「受信」とすることで、患者からの紹介状受信状況を検索することができる（図７では「受諾」中のものが表示されている）。診断医は、紹介状を受信し、セカンドオピニオンの正式な診断レポートを作成することを受諾する場合は、受諾する患者ＩＤを選択して、「受諾」ボタン７８を押下することにより、紹介状ステータスは「受諾」と変化する。
【００４３】
図７に示すように、「ステータス」プルダウンボックス７７を「受諾」とすることで、セカンドオピニオンのための正式な診断レポート作成を受諾した患者の一覧表７９が表示される。
【００４４】
ステップＳＴ６０８では、セカンドオピニオンを受諾した患者の依頼ＩＤについてのみ、診断医のアカウントのアカウントレベルをアップする。すなわち受諾していない依頼ＩＤについては、アカウントレベルは「Ｏｐｅｎ」のままであり、受諾した依頼ＩＤについては、アカウントレベルは「Ｄｏｃ」と変更する。紹介状制御部１１４において紹介状を受諾した信号は、公開レベル判断部１１６に送られ、セカンドオピニオンを受諾した依頼ＩＤの医用画像の参照レベルは「Ｄｏｃ」までが閲覧可能となる。これにより個人情報などの公開制限が解除された医用情報が閲覧できる。アカウントレベルの変更情報は、アカウント情報保存部１２に保存される。診断医の紹介状受諾は、図２の紹介状制御シーケンスにて行われる。
【００４５】
ステップＳＴ６０９では、個人情報などの公開制限が解除された医用情報を閲覧し、それに基づいて行われた正式な診断レポートを医用画像管理サーバ１にアップロードする。アップロードは、図７の「ファイル指定」ボタン７５により正式な診断レポートのファイル保存位置を指定し、「診断レポート送信」ボタン７６を押下し、診断レポートを医用画像管理サーバ１にアップロードする。この正式な診断レポートのアップロードは、図２の医用情報アップロードシーケンスで行われる。
【００４６】
ステップＳＴ６１０では、患者または主治医は、図８の診断レポート一覧８３、または紹介状ステータス８８にて正式な診断レポートが受信できていることを確認する。そして「閲覧」ボタン８４を押下することでセカンドオピニオンを取得できる。
【００４７】
また、セカンドオピニオンを取得後において、パブリッククラウド２上で公開されている患者自身の医用情報の取り扱いをどうするかを選択する。パブリッククラウド２から患者自身の医用情報を全部削除するには、「削除」ボタン８９を押下し、今後の臨床・研究など広く利用してよい場合には「公開」ボタン９０を押下する。この場合は、個人が特定される情報は削除され保存・公開される。またこの時、依頼ＩＤと患者ＩＤとのリンク関係も解除される。
【００４８】
本実施形態によれば、セカンドオピニオンの依頼・選定の目的でパブリッククラウド上に医用画像をはじめとする医用情報を共有させ、多くの診断医により診断を行うことが可能である。また、セカンドオピニオンを依頼する患者、主治医は、多くの診断医の簡易レポートを参照し、診断医の実績や、ユーザの評価を加味して正式な診断を依頼することができる。また、主治医から診断医へ紹介状を送ることで信頼関係を高めた医用連携が行える。また、国内に関わらず世界の医師による高度な診断を受けられる。さらに簡易診断においては、患者の個人情報が保護されるため、安心してセカンドオピニオンの依頼が行える。
【００４９】
本実施形態においては、セカンドオピニオンを取得することを例にとって説明したが、これに限られない。世界の高度医療を受けたい人達に対して、診療を受けるためのグローバルな紹介システムとして機能させることが可能である。
【００５０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５１】
１…医用画像管理サーバ、
２…パブリッククラウド、
１１…アクセス制御部、
１２…アカウント情報制御部、
１３…医用情報保存部、
１４…履歴情報保存部、
１１１…登録部、
１１２…医用情報参照部、
１１３…医用情報アップロード部、
１１４…紹介状制御部、
１１５…履歴制御部、
１１６…公開レベル制御部。
【図１】
2014044495.tif 000003
【図２】
2014044495.tif 000004
【図３】
2014044495.tif 000005
【図４】
2014044495.tif 000006
【図５】
2014044495.tif 000007
【図６】
2014044495.tif 000008
【図７】
2014044495.tif 000009
【図８】
2014044495.tif 000010